(57)【要約】【課題】搬送された原稿の種類に応じて、原稿の読取画像の使用を禁止することができ、無駄な印刷又は通信を防止することができる画像読取装置及び画像処理装置を提供する。【解決手段】搬送された原稿の種類を、画像読取装置１が読取った画像とＲＯＭ３２又はＲＡＭ３３に記憶されている特定の画像とに基づいてＣＰＵ３１で判定し、画像読取装置１が読取った画像の使用（画像形成装置３８によるシートへの画像形成）をＣＰＵ３１が判定結果に基づいて禁止する。【選択図】図１
2007096662.tif 000002
【特許請求の範囲】
【請求項１】
原稿を搬送する搬送手段と、該搬送手段が搬送する原稿の画像を読取る画像読取手段とを備える画像読取装置において、
前記画像読取手段が読取った画像に基づいて原稿の種類を判定する判定手段と、
該判定手段の判定結果に基づいて前記画像読取手段が読取った画像の使用を禁止する禁止手段と
を備えることを特徴とする画像読取装置。
【請求項２】
前記画像読取手段は、原稿の両面の画像を読取るように構成してあり、
前記判定手段は、両面の画像に基づいて原稿の種類を判定するように構成してあることを特徴とする請求項１記載の画像読取装置。
【請求項３】
前記判定手段は、前記画像読取手段が読取った画像に特定の画像が含まれているか否かを判定するように構成してあることを特徴とする請求項１又は２記載の画像読取装置。
【請求項４】
前記特定の画像を記憶する記憶部を備え、
前記判定手段は、記憶部に記憶されている特定の画像が、前記画像読取手段が読取った画像に含まれているか否かを判定するように構成してあることを特徴とする請求項３記載の画像読取装置。
【請求項５】
前記搬送手段は複数原稿を連続的に搬送するように構成してあり、
前記判定手段は、前記画像読取手段が連続して読取った画像が同一であるか否かを判定するように構成してあることを特徴とする請求項１又は２記載の画像読取装置。
【請求項６】
前記搬送手段は複数原稿を連続的に搬送するように構成してあり、
前記画像読取手段が読取った画像からページ番号を抽出する抽出手段を備え、
前記判定手段は、該抽出手段が連続して抽出したページ番号が不連続であるか否かを判定するように構成してあることを特徴とする請求項１又は２記載の画像読取装置。
【請求項７】
請求項１乃至６の何れかひとつに記載の画像読取装置と、
該画像読取装置が読取った画像をシートに形成する画像形成装置と
を備えることを特徴とする画像処理装置。
【発明の詳細な説明】
【技術分野】
【０００１】
本発明は、原稿を搬送する搬送手段と、該搬送手段が搬送する原稿の画像を読取る画像読取手段とを備える画像読取装置及び画像処理装置に関する。
【背景技術】
【０００２】
複写機、ファクシミリ機、又は複合機など、画像読取装置を備える装置においては、片面のみに印刷が行われている原稿（裏面は白紙）の画像を読取ったり、両面に印刷が行われている原稿の画像を読取る。また、両面に印刷が行われている原稿は、一方の面が既に使用済み（不要）となった裏紙の場合もある。裏紙の場合は他方の面のみ画像読取を行えばよい（例えば特許文献１参照）。
【特許文献１】特開平８−２３７３９８号公報
【発明の開示】
【発明が解決しようとする課題】
【０００３】
しかし、画像読取装置は、表面を上に向けて原稿をセットするものもあれば、裏面を上に向けて原稿をセットするものもあり、例えば原稿の裏表を反対に載置した場合、白紙の面を読取ったり、裏紙などの不要な面を読取るなど、無駄な画像読取を行い、さらに無駄な印刷を行うという問題がある。また、裏面が白紙の原稿又は裏紙の原稿の場合に誤って両面読取を指示した場合も、無駄な画像読取を行い、さらに無駄な印刷を行うという問題がある。特に原稿を自動的に搬送する原稿自動搬送装置を用いた場合は、複数枚の原稿を連続して読取るため、原稿載置の表裏を間違えると、大量の原稿の無駄な読取を行い、また無駄な印刷を大量に行うことになる。
【０００４】
本発明は斯かる事情に鑑みてなされたものであり、搬送手段が搬送する原稿の種類を、画像読取手段が読取った画像に基づいて判定する判定手段と、画像読取手段が読取った画像の使用を判定結果に基づいて禁止する禁止手段とを備えることにより、搬送された原稿の種類に応じて、原稿の読取画像の使用を禁止することができる画像読取装置及び画像処理装置を提供することを目的とする。
【０００５】
また、本発明は、前記画像読取手段が原稿の両面の画像を読取るように構成してあり、前記判定手段が両面の画像に基づいて原稿の種類を判定するように構成してあることにより、原稿の種類をより正確に判定することができる画像処理装置を提供することを他の目的とする。
【０００６】
また、本発明は、前記判定手段が前記画像読取手段が読取った画像に特定の画像が含まれているか否かを判定するように構成してあることにより、特定の画像が形成された原稿の読取画像の使用を禁止することができる画像処理装置を提供することを他の目的とする。
【０００７】
また、本発明は、前記特定の画像を記憶する記憶部を備え、前記判定手段は前記画像読取手段が読取った画像に、記憶部に記憶されている特定の画像が含まれているか否かを判定するように構成してあることにより、様々な特定の画像を登録することができる画像処理装置を提供することを他の目的とする。
【０００８】
また、本発明は、前記搬送手段が複数原稿を連続的に搬送するように構成してあり、前記判定手段は前記画像読取手段が連続して読取った画像が同一であるか否かを判定するように構成してあることにより、連続する同一原稿の読取画像の使用を禁止することができる画像処理装置を提供することを他の目的とする。
【０００９】
また、本発明は、前記搬送手段が複数原稿を連続的に搬送するように構成してあり、前記画像読取手段が読取った画像からページ番号を抽出する抽出手段を備え、前記判定手段は該抽出手段が連続して抽出したページ番号が不連続であるか否かを判定するように構成してあることにより、ページ番号が不連続の原稿の読取画像の使用を禁止することができる画像処理装置を提供することを他の目的とする。
【課題を解決するための手段】
【００１０】
本発明に係る画像読取装置は、原稿を搬送する搬送手段と、該搬送手段が搬送する原稿の画像を読取る画像読取手段とを備える画像読取装置において、前記画像読取手段が読取った画像に基づいて原稿の種類を判定する判定手段と、該判定手段の判定結果に基づいて前記画像読取手段が読取った画像の使用を禁止する禁止手段とを備えることを特徴とする。
【００１１】
本発明に係る画像読取装置は、前記画像読取手段は、原稿の両面の画像を読取るように構成してあり、前記判定手段は、両面の画像に基づいて原稿の種類を判定するように構成してあることを特徴とする。
【００１２】
本発明に係る画像読取装置は、前記判定手段は、前記画像読取手段が読取った画像に特定の画像が含まれているか否かを判定するように構成してあることを特徴とする。
【００１３】
本発明に係る画像読取装置は、前記特定の画像を記憶する記憶部を備え、前記判定手段は、記憶部に記憶されている特定の画像が、前記画像読取手段が読取った画像に含まれているか否かを判定するように構成してあることを特徴とする。
【００１４】
本発明に係る画像読取装置は、前記搬送手段は複数原稿を連続的に搬送するように構成してあり、前記判定手段は、前記画像読取手段が連続して読取った画像が同一であるか否かを判定するように構成してあることを特徴とする。
【００１５】
本発明に係る画像読取装置は、前記搬送手段は複数原稿を連続的に搬送するように構成してあり、前記画像読取手段が読取った画像からページ番号を抽出する抽出手段を備え、前記判定手段は、該抽出手段が連続して抽出したページ番号が不連続であるか否かを判定するように構成してあることを特徴とする。
【００１６】
本発明に係る画像処理装置は、上述した本発明に係る画像読取装置と、該画像読取装置が読取った画像をシートに形成する画像形成装置とを備えることを特徴とする。
【００１７】
本発明においては、搬送手段が搬送する原稿の原稿の種類を、画像読取手段が読取った画像に基づいて判定手段で判定し、画像読取手段が読取った画像の使用を禁止手段が判定結果に基づいて禁止するため、搬送された原稿の種類に応じて、原稿の読取画像の使用を禁止することができる。例えば原稿の読取面が白紙の場合は、原稿の表裏が誤ってセットされているので、原稿の読取画像の使用（例えば印刷又はファクシミリ送信）を禁止することができ、無駄な印刷又は通信を防止することができる。
【００１８】
本発明においては、前記画像読取手段は原稿の両面の画像を読取る構成であり、両面の画像に基づいて判定手段が原稿の種類を判定するため、片面の画像に基づく判定よりも原稿の種類をより正確に判定することができる。例えば表面は白紙でなく、裏面が白紙の場合は、原稿の表裏が正しくセットされていると判定できる。
【００１９】
本発明においては、前記画像読取手段が読取った画像に特定の画像が含まれているか否かを前記判定手段で判定するため、特定の画像が形成された原稿の読取画像の使用を禁止することができる。例えばテスト印刷を行った原稿の場合は、テスト印刷用の画像を特定の画像とすることにより、テスト印刷を行った原稿の読取画像の使用（例えば印刷又はファクシミリ送信）を禁止できる。
【００２０】
本発明においては、前記画像読取手段が読取った画像に、記憶部に記憶されている特定の画像が含まれているか否かを判定手段で判定するため、様々な特定の画像を登録することができる。様々な特定の画像を記憶部に記憶することにより、様々な特定の画像が形成された原稿の読取画像の使用を禁止することができる。例えば使用済みマークなどの任意の画像を特定画像として登録できる。
【００２１】
本発明においては、前記搬送手段は複数原稿を連続的に搬送する構成であり、連続して読取られた画像が同一であるか否かを判定手段で判定するため、連続する同一原稿の読取画像の使用（例えば印刷又はファクシミリ送信）を禁止することができる。
【００２２】
本発明においては、前記搬送手段は複数原稿を連続的に搬送する構成であり、前記画像読取手段が読取った画像から抽出手段がページ番号を抽出し、連続して抽出されたページ番号が不連続であるか否かを判定手段で判定するため、ページ番号が不連続の原稿の読取画像の使用（例えば印刷又はファクシミリ送信）を禁止することができる。
【発明の効果】
【００２３】
本発明によれば、搬送された原稿の種類に応じて、原稿の読取画像の使用を禁止することができる。無駄な印刷又は通信を防止することができる。
【００２４】
本発明によれば、原稿の種類をより正確に判定することができる。
【００２５】
本発明によれば、特定の画像が形成された原稿の読取画像の使用を禁止することができる。
【００２６】
本発明によれば、様々な特定の画像を登録することができ、様々な特定の画像が形成された原稿の読取画像の使用を禁止することができる。
【００２７】
本発明によれば、連続する同一原稿の読取画像の使用を禁止することができる。
【００２８】
本発明によれば、ページ番号が不連続の原稿の読取画像の使用を禁止することができる。
【発明を実施するための最良の形態】
【００２９】
以下、本発明をその実施の形態を示す図面に基づいて具体的に説明する。
図１は、本発明に係る画像読取装置を備える画像処理装置の要部構成を示すブロック図である。画像処理装置は、画像読取装置１と、画像読取装置１が読取った画像データを格納する画像メモリ３４と、画像データに基づく画像をシートに形成する画像形成装置３８と、ＣＰＵ３１と、画像処理装置を動作させるためのプログラムを格納するＲＯＭ３２と、不揮発性のメモリでありＣＰＵ３１の作業領域となるＲＡＭ３３と、画像読取装置１の搬送ローラなどを駆動する駆動モータ３５と、液晶表示パネル、画像読取処理を開始させるスタートキー及び種々の条件設定等を受け付ける各種キー、又は、タッチパネルなどを有する操作部３６とを備える。ＣＰＵ３１は、ＲＯＭ３２に記憶されているプログラムを実行して画像処理装置の上述した各構成部を制御する。
【００３０】
図２は本発明に係る画像読取装置の要部構成を示す模式図である。画像読取装置１は、原稿載置トレイ２から原稿排出トレイ３へ至る原稿搬送路４、原稿の第１面（表面）の画像を読み取る第１画像読取部（画像読取手段）５、及び原稿の第２面（裏面）の画像を読み取る第２画像読取部（画像読取手段）６などを備えている。原稿は、原稿搬送路４中を、原稿載置トレイ２から原稿排出トレイ３へ向けて搬送される。原稿の搬送方向において原稿搬送路（搬送手段）４の上流側端部にピックアップローラ７及び捌きローラ８（搬送手段）が配置され、原稿載置トレイ２上に積載された原稿がピックアップローラ７及び捌きローラ８によって１枚ずつ原稿搬送路４へ供給される。また、原稿の搬送方向において原稿搬送路４の下流側端部に排出ローラ９（搬送手段）が配置され、原稿搬送路４を搬送されてきた原稿は排出ローラ９によって原稿排出トレイ３へ排出される。ピックアップローラ７、捌きローラ８、及び排出ローラ９は、駆動モータ３５によって駆動される。
【００３１】
原稿搬送路４の中間には、第１画像読取部５の画像読取位置Ａと、第２画像読取部６の画像読取位置Ｂとが存在する。原稿の搬送方向において画像読取位置Ａの上流側には、搬送ローラ１０、１１（搬送手段）、及び湾曲部１２が、原稿の搬送方向に沿ってこの順序で配置されている。搬送ローラ１０，１１はそれぞれ、駆動モータ３５によって駆動され、原稿を画像読取位置Ａへ向けて搬送する。湾曲部１２は、図１において左下方向に凸となる向きに湾曲している。画像読取位置Ａと画像読取位置Ｂとの間の原稿搬送路４には、上向きに凸の屈曲部１３と、下向きに凸の屈曲部１４とが設けられている。屈曲部１３には、従動ローラ１５が配置され、屈曲部１４の上流側の近傍には搬送ローラ１６（搬送手段）が配置されている。搬送ローラ１６は、駆動モータ３５によって駆動され、原稿を画像読取位置Ｂへ向けて搬送する。
【００３２】
第１画像読取部５は、露光ランプ５１及び第１反射ミラー５２を備えた第１走査ユニット５３と、第２反射ミラー５４及び第３反射ミラー５５を備えた第２走査ユニット５６と、結像レンズ５７と、ＣＣＤ５８とを備えている。露光ランプ５１から照射され、原稿の第１面で反射された光は、第１反射ミラー５２、第２反射ミラー５４及び第３反射ミラー５５で順次反射されて結像レンズ５７に入射する。結像レンズ５７は、入射した光をＣＣＤ５８上に結像させる。ＣＣＤ５８は、結像レンズ５７によって結像された光を光電変換した画像データを画像メモリ３４に出力する。
【００３３】
第１走査ユニット５３及び第２走査ユニット５６はそれぞれ、駆動モータ３５によって、原稿固定方式で原稿の画像を読み取る際に原稿が載置されるプラテンガラス１７に沿った副走査方向に移動可能である。第１画像読取部５は、第１走査ユニット５３及び第２走査ユニット５６を副走査方向に移動させることで、プラテンガラス１７上に載置された原稿の画像を読み取り、原稿の画像データを画像メモリ３４に出力する。よって、第１画像読取部５を原稿移動方式と原稿固定方式とに兼用できる。また、原稿搬送路４に搬送される原稿の画像を読み取る原稿移動方式の画像読取時の第１走査ユニット５３及び第２走査ユニット５６の位置は、プラテンガラス１７上に載置された原稿の画像を読み取る原稿固定方式の画像読取時の第１走査ユニット５３及び第２走査ユニット５６のホームポジションに設定されている。そのため、原稿移動方式におけるシェーディング補正用の標準白板と原稿固定方式におけるシェーディング補正用の標準白板とを兼用することができる。
【００３４】
また、画像読取位置Ａには、プラテンガラス１８が配置されており、露光ランプ５１から発せられた光は、プラテンガラス１８を透過して原稿に照射される。画像読取位置Ａにおける原稿搬送路４のプラテンガラス１８に対向する壁面には、シェーディング補正に用いられる標準白板１９が配置されている。標準白板１９の上流側にある湾曲部１２には、後に詳述する汚れ除去部材が配置されている。汚れ除去部材は、例えばＰＥＴ（ポリエチレンテレフタレート）又はマイラーシートで形成されている。原稿は汚れ除去部材に当接しながら搬送されるため、原稿の第１面（図１において下側の面）の汚れが除去され、湾曲部１２の標準白板１９が汚れることが未然に防止される。
【００３５】
第２画像読取部６は、露光ランプ６１、複数の反射ミラー６２，６３，６４，６５、結像レンズ６６、及びＣＣＤ６７を備えている。露光ランプ６１から照射され原稿の第２面（裏面）で反射された光は、反射ミラー６２〜６５で順次反射されて結像レンズ６６に入射する。結像レンズ６６は、入射した光をＣＣＤ６７上に結像させる。ＣＣＤ６７は、結像レンズ６６によって結像された光を光電変換した画像データを画像メモリ３４に出力する。ＣＣＤ６７として、第１画像読取部５のＣＣＤ５８の画像の読取解像度と略同一の読取解像度を有するものが用いられる。ＣＣＤの解像度を略同じにすることにより、原稿の表面と裏面とについて、同じ画像解像度の画像データを取得することができるので、表面用と裏面用とで同じ画像処理を適用することができ、画像読取後の画像処理が簡易になる。
【００３６】
図３は、画像読取装置１の画像読取位置Ｂの要部構成を示す拡大図である。画像読取位置Ｂには、プラテンガラス２０が配置されており、露光ランプ６１から発せられた光は、プラテンガラス２０を透過して原稿に照射される。画像読取位置Ｂにおける原稿搬送路４のプラテンガラス２０に対向する壁面には、シェーディング補正に用いられる標準白板２１が配置されている。標準白板２１のすぐ上流側にある屈曲部１４からその下流側にかけて、原稿搬送路４の下側の内壁面に、汚れ除去部材２２が配置されている。汚れ除去部材２２は、例えばＰＥＴ又はマイラーシートで形成されている。原稿搬送路４を搬送されてきた原稿は、屈曲部１４から下流側の部分では原稿搬送路４の下側の壁面に当接しながら搬送される。このとき、原稿は、汚れ除去部材２２に当接しながら移動するので、原稿の第１面（図２において下側の面）の汚れが除去される。これによって、標準白板２１が原稿の汚れによって汚損されることが防止される。
【００３７】
上述のように構成された画像読取装置１では、原稿載置トレイ２に載置された原稿は、ピックアップローラ７によって原稿搬送路４に供給され、搬送ローラ１０によってさらに下流側へ搬送される。そして、原稿は、搬送ローラ１１によって搬送力を与えられ、湾曲部１２において原稿搬送路４の下側の内壁面に当接しながら画像読取位置Ａへ搬送される。原稿の搬送方向において画像読取位置Ａの上流側に搬送ローラ１１と湾曲部１２とがこの順序で配置されていることによって、原稿が画像読取位置Ａを通過する場合に原稿は、画像読取位置Ａにおいて、常に原稿搬送路４中の下側の内壁面に沿って搬送される。原稿が画像読取位置Ａにおいて常に原稿搬送路４の高さ方向の一定の位置を搬送されるので、第１画像読取部５の焦点を原稿に合致させることが容易になり、原稿の第１面（表面）の画像の高品位な画像データが取得される。
【００３８】
画像読取位置Ａで第１面の画像を読み取られた原稿は、搬送ローラ１１によってさらに屈曲部１３及び屈曲部１４を経由して画像読取位置Ｂへ搬送される。屈曲部１３では、原稿は、従動ローラ１５に誘導されることで円滑に搬送される。原稿の先端部が搬送ローラ１６に到達すると、原稿は、搬送ローラ１６によって搬送力を与えられ、湾曲部１４において原稿搬送路４の下側の内壁面に当接しながらさらに下流側へ向けて搬送される。原稿の搬送方向において画像読取位置Ｂの上流側に搬送ローラ１６と湾曲部１４とがこの順序で配置されていることによって、原稿が画像読取位置Ｂを通過する場合、画像読取位置Ｂにおいて、原稿は常に原稿搬送路４中の下側の内壁面に沿って搬送される。原稿が画像読取位置Ｂにおいて常に原稿搬送路４の高さ方向の一定の位置を搬送されるので、第２画像読取部６の焦点を原稿に合致させることが容易になり、原稿の第２面（裏面）の画像の高品位な画像データが取得される。
【００３９】
第１画像読取部５による画像読取位置Ａと、第２画像読取部６による画像読取位置Ｂとの間に、２個の屈曲部１３，１４が設けられていることで、第１画像読取部５から原稿に照射された光が原稿搬送路４に沿って画像読取位置Ｂに迷光として入射することが大幅に抑制され、同様に、第２画像読取部６から原稿に照射された光が画像読取位置Ａに迷光として入射することが大幅に抑制される。なお、第２画像読取部６のＣＣＤ６７に代えてＣＩＳを用いた場合にも、画像読取位置Ａ，Ｂそれぞれへの迷光の入射を抑制することができる。
【００４０】
画像形成装置３８は、例えば、イエロー、マゼンタ、シアン、ブラックの各色用の４個の画像形成部を備えたタンデム型の電子写真方式の画像形成装置を用いる。画像形成装置３８は、画像読取装置１で読取った画像をシートに形成する。
【００４１】
ＣＰＵ３１は、第１画像読取部５及び／又は第２画像読取部６が読取った読取画像（原稿の表面画像及び／又は裏面画像）に基づいて原稿の種類を判定する判定手段、及び、判定結果に基づいて読取画像の使用（本実施の形態では画像形成装置によるシートへの画像形成）を禁止する禁止手段として動作する。ＣＰＵ（判定手段）３１は、原稿の種類の判定として、読取画像に特定の画像が含まれているか否かを判定する。例えば、ＲＯＭ３２又はＲＡＭ３３（記憶部）に特定の画像を記憶しておき、記憶した特定の画像が読取画像に含まれているか否かをＣＰＵ３１で判定する。
【００４２】
図４（ａ）〜（ｃ）、図５（ａ）〜（ｂ）、及び図６（ａ）は特定の画像の例を示す概念図である。図４（ａ）は白紙（特定の画像）であり、読取画像に画像は含まれていない。図４（ｂ）は使用済み（裏紙）であることを示す斜め線の画像（特定の画像）が読取画像に含まれており、図４（ｃ）は使用済み（裏紙）であることを示すバツ印の画像（特定の画像）が読取画像に含まれており、図５（ａ）は使用済み（裏紙）であることを示す報知画像（特定の画像）が読取画像に形成されており、図５（ｂ）は使用済み（裏紙）であることを示す済マークの画像（特定の画像）が読取画像に含まれている。また、図６（ａ）は印刷テスト用の画像（特定の画像）が読取画像に含まれている。
【００４３】
また、画像読取装置１は連続的に原稿を読取ることが可能であり、連続する同一画像の使用を禁止することも可能である。この場合、ＣＰＵ３１は、第１画像読取部５及び／又は第２画像読取部６が連続して読取った読取画像が同一であるか否かを判定する。例えば図６（ａ）に示した印刷テスト用の画像が特定の画像でない場合、同一の読取画像（印刷テスト用の画像）が連続することを検出することが可能である。
【００４４】
また、ページ番号が不連続の画像の使用を禁止することも可能である。この場合、ＣＰＵ３１は、読取画像からページ番号を抽出する抽出手段として動作し、連続して読取られた読取画像から抽出したページ番号が不連続であるか否かを判定する。図６（ｂ）は特定の画像の例を示す概念図であり、読取画像の下部にページ番号が形成されている。ＣＰＵ３１は、ＯＣＲ（Optical Character Reader）による文字認識によってページ番号を抽出することが可能である。
【００４５】
図７は原稿の複写の処理手順の例を示すフローチャートである。原稿がセットされ（Ｓ１０：ＹＥＳ）、操作部３６のスタートキーが押下された場合（Ｓ１２：ＹＥＳ）、ＣＰＵ３１は、画像読取装置１を制御して原稿の画像を読取らせる（Ｓ１４）。画像読取装置１が読取った原稿の読取画像は、ＣＰＵ３１の制御によって画像メモリ３４に記憶される。ＣＰＵ３１は、画像メモリ３４に記憶されている読取画像に、ＲＯＭ３２又はＲＡＭ３３に記憶されている特定の画像が含まれている又は一致するか否かを判定する。特定の画像が含まれていない場合（Ｓ１６：ＮＯ）、ＣＰＵ３１は、画像形成装置３８を制御して読取った画像の印刷を行う（Ｓ３０）。他に原稿がある場合（Ｓ３２：ＹＥＳ）、ＣＰＵ３１は画像読取装置１を制御して原稿の画像を読取り（Ｓ３４）、画像形成装置３８を制御して読取った画像の印刷を行う（図７の実線矢印（Ａ）、Ｓ３０）。他に原稿がない場合（Ｓ３２：ＮＯ）、図７に示す処理を終了する。なお、原稿の画像を読取り（Ｓ３４）、特定の画像が含まれている又は一致するか否かを判定することも可能である（図７の破線矢印（Ｂ））。
【００４６】
特定の画像が含まれている場合（Ｓ１６：ＹＥＳ）、ＣＰＵ３１は、画像メモリ３４に記憶した読取画像からページ番号の抽出を行う。ページ番号が含まれている場合（Ｓ１８：ＹＥＳ）、ＣＰＵ３１は、画像読取装置１を制御して原稿の画像を読取らせ（Ｓ２０）、特定の画像が含まれているか否かを判定する。特定の画像が含まれておらず（Ｓ２２：ＮＯ）、ページ番号が連続している場合（Ｓ２４：ＹＥＳ）、ＣＰＵ３１は、画像形成装置３８を制御して読取った画像の印刷を行い（Ｓ３０）、上述したＳ３２及びＳ３４の処理を行う。
【００４７】
ページ番号が含まれていない場合（Ｓ１８：ＮＯ）、特定の画像が含まれている場合（Ｓ２２：ＹＥＳ）、又は、ページ番号が連続していない場合（Ｓ２４：ＮＯ）、ＣＰＵ３１は、画像読取装置１による画像の読取を停止し（Ｓ２６）、操作部３６に停止メッセージを表示するなどの報知を行い（Ｓ２８）、図７に示す処理を終了する。
【００４８】
上述した実施の形態では、画像読取装置１で読取った画像を画像形成装置３８によってシートに形成する場合を例にして説明したが、ファクシミリなどの通信装置を画像処理装置に設け、画像読取装置１で読取った画像を通信装置から送信することも可能である。
【００４９】
また、原稿の種類の判定は、特定画像が含まれているか否かの判定のみを行ったり、ページが不連続であるか否かの判定のみを行ったり、同一画像が連続しているか否かの判定のみを行ったり、前記各判定を任意数組合わせて行うことが可能である。
【００５０】
また、ＣＰＵ３１は、原稿の裏面の読取画像が白紙又は裏紙であるか否かを確認し、原稿の表面が正しく読取られていることを確認してから印刷又は送信を行うなど、両面の読取画像に基づいて原稿の種類を判定することも可能である。原稿の種類の判定は、原稿の表面の読取画像のみを用いたり、原稿の裏面の読取画像のみを用いたり、原稿の表面及び表面の両方の読取画像を用いることが可能である。
【００５１】
また、上述した実施の形態では表面読取用のＣＣＤ及び裏面読取用のＣＣＤを設けたが、用紙の表裏が反転するように搬送路を構成し、共通のＣＣＤで両面の画像を読取ることも可能である。
【００５２】
また、上述した実施の形態においては、原稿の両面を読取可能な画像読取装置を例にして説明したが、片面のみ読取可能な画像読取装置を用いて、読取画像が裏面であるか否かを判定し、裏面の場合は印刷などを禁止することも可能である。
【図面の簡単な説明】
【００５３】
【図１】本発明に係る画像読取装置を備える画像処理装置の要部構成を示すブロック図である。
【図２】本発明に係る画像読取装置の要部構成を示す模式図である。
【図３】画像読取装置の画像読取位置の要部構成を示す拡大図である。
【図４】特定の画像の例を示す概念図である。
【図５】特定の画像の例を示す概念図である。
【図６】特定の画像の例を示す概念図である。
【図７】原稿の複写の処理手順の例を示すフローチャートである。
【符号の説明】
【００５４】
１  画像読取装置
５  第１画像読取部
６  第２画像読取部
３１  ＣＰＵ
３２  ＲＯＭ
３３  ＲＡＭ
３４  画像メモリ
３５  駆動モータ
３６  操作部
３８  画像形成装置
【図１】
2007096662.tif 000003
【図２】
2007096662.tif 000004
【図３】
2007096662.tif 000005
【図４】
2007096662.tif 000006
【図５】
2007096662.tif 000007
【図６】
2007096662.tif 000008
【図７】
2007096662.tif 000009